(57)【特許請求の範囲】
【請求項１】
管理センタの管理用ホストに電話回線を介して接続され、該管理センタから離れて配置された遠隔監視対象において発生する異常を検知し、該異常を前記電話回線により前記管理用ホストに通知するに当たり、
前記異常の繰り返し時に、繰り返し異常の発生を前記管理用ホストに前記電話回線により通知し、
前記繰り返し異常の発生の前記管理用ホストに対する通知後、該繰り返し異常が終了するまでの間、前記異常の前記管理用ホストに対する通知を停止し、
前記繰り返し異常の発生の前記管理用ホストに対する通知後、該繰り返し異常が終了した際に、前記繰り返し異常の終了を前記電話回線により前記管理用ホストに通知するようにした、
ことを特徴とする遠隔監視システムの端末側異常通知方法。
【請求項２】
前記遠隔監視対象における前記異常の回数を計数し、所定の時間幅の間における前記異常の回数の計数値を基に、前記繰り返し異常の発生及び終了を判別するようにした請求項１記載の遠隔監視システムの端末側異常通知方法。
【請求項３】
前記繰り返し異常の終了の前記管理用ホストに対する通知時に、該終了した前記繰り返し異常の発生から終了までの間における前記異常の回数の計数値を、前記管理用ホストに対して合わせて通知するようにした請求項２記載の遠隔監視システムの端末側異常通知方法。
【請求項４】
前記管理センタから離れた同一箇所の複数の前記遠隔監視対象別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視対象別に各々行うようにした請求項１、２又は３記載の遠隔監視システムの端末側異常通知方法。
【請求項５】
前記遠隔監視対象の複数の遠隔監視項目別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視項目別に各々行うようにした請求項１、２、３又は４記載の遠隔監視システムの端末側異常通知方法。
【請求項６】
管理センタの管理用ホストに電話回線を介して接続され、該管理センタから離れて配置された遠隔監視対象において発生する異常を検知し、該異常を前記電話回線により前記管理用ホストに通知する遠隔監視システム用の端末装置において、
前記遠隔監視対象における前記異常の繰り返しの発生、及び、該発生した繰り返し異常の終了を判別する繰り返し異常判別手段と、
前記繰り返し異常が発生したと前記繰り返し異常判別手段が判別した際に、前記繰り返し異常を前記電話回線により前記管理用ホストに通知する繰り返し異常通知手段と、
前記繰り返し異常通知手段による前記繰り返し異常の発生の前記管理用ホストに対する通知後、該管理用ホストに対する前記異常の通知を停止させる異常通知停止手段と、
前記異常通知停止手段による前記異常の前記管理用ホストに対する通知の停止後、前記繰り返し異常が終了したと前記繰り返し異常判別手段が判別した際に、前記繰り返し異常の終了を前記電話回線により前記管理用ホストに通知する繰り返し異常終了通知手段と、
前記繰り返し異常終了通知手段による前記繰り返し異常の終了の前記管理用ホストに対する通知後、前記異常通知停止手段による前記異常の前記管理用ホストに対する通知の停止を解除させる異常通知停止解除手段と、
を備えることを特徴とする遠隔監視システム用端末装置。
【請求項７】
前記繰り返し異常判別手段は、前記遠隔監視対象における前記異常の発生回数を計数する異常発生回数計数手段と、現在から所定時間遡った時点までの最新の所定時間の間に前記異常発生回数計数手段が計数した最新の計数値を、所定の開始基準値と周期的に比較する開始比較手段と、前記最新の計数値を所定の終了基準値と周期的に比較する終了比較手段とを有しており、前記開始比較手段による比較結果を基に、前記最新の計数値が前記開始基準値を最初に上回った際に前記繰り返し異常が発生したと判別し、前記最新の計数値が前記終了基準値を最初に下回った際に前記繰り返し異常が終了したと判別する請求項６記載の遠隔監視システム用端末装置。
【請求項８】
前記繰り返し異常終了通知手段は、前記繰り返し異常が終了したと前記繰り返し異常判別手段が判別した際に、前記繰り返し異常が発生したと前記繰り返し異常判別手段が判別した時点から前記異常発生回数計数手段が計数した前記計数値を、前記繰り返し異常の終了と共に前記管理用ホストに通知する請求項７記載の遠隔監視システム用端末装置。
【請求項９】
前記遠隔監視対象は前記管理センタから離れた同一箇所に複数配置されており、前記繰り返し異常判別手段による前記繰り返し異常の発生及び終了の判別、前記繰り返し異常通知手段による前記繰り返し異常の前記管理用ホストへの通知、前記異常通知停止手段による前記異常の前記管理用ホストに対する通知の停止、前記繰り返し異常終了通知手段による前記繰り返し異常の終了の前記管理用ホストに対する通知、並びに、前記異常通知停止解除手段による前記異常の前記管理用ホストに対する通知の停止の解除は、前記各遠隔監視対象別に各々行われる請求項６、７又は８記載の遠隔監視システム用端末装置。
【請求項１０】
前記遠隔監視対象は複数の遠隔監視項目を有しており、前記繰り返し異常判別手段による前記繰り返し異常の発生及び終了の判別、前記繰り返し異常通知手段による前記繰り返し異常の前記管理用ホストへの通知、前記異常通知停止手段による前記異常の前記管理用ホストに対する通知の停止、前記繰り返し異常終了通知手段による前記繰り返し異常の終了の前記管理用ホストに対する通知、並びに、前記異常通知停止解除手段による前記異常の前記管理用ホストに対する通知の停止の解除は、前記各遠隔監視項目別に各々行われる請求項６、７、８又は９記載の遠隔監視システム用端末装置。
【発明の詳細な説明】
【０００１】
【発明の属する技術分野】
本発明は、中央の管理センタから離れた箇所に配置された種々の機器類の動作状況を遠隔監視する際に用いる遠隔監視システムに係り、特に、機器類の動作状況を監視する端末から管理センタに状況通知を行うシステムに関する。
【０００２】
【従来の技術】
近年では、例えば金融機関のＡＴＭ（現金自動預け払い機）、テナントや一般家庭のセキュリティーシステム等においては、各端末側での異常状態や警報状態を中央の管理センタにおいて集中管理する遠隔監視システムが広く採用されている。
【０００３】
この種のシステムの中には、管理センタから定期的に端末側に異常の発生の有無を問い合わせて現状把握を行うタイプと、異常の発生時に端末から管理センタに異常の発生を通知するタイプとがあり、いずれも、専用の通信回線を用いるものよりも、既存の電話回線を通信回線として利用するものの方が主流を占めている。
【０００４】
そして、上述した２つのタイプのうち、後者の端末から異常を管理センタに通知するタイプの遠隔監視システムでは、異常の発生と終了とを管理センタに通知する度に電話回線の使用料が発生するため、如何に電話回線の使用回数を少なくするかがランニングコストを低く抑える上での重要な課題となる。
【０００５】
この課題を解決するべく従来に提案された特開平５−１２８３９５号公報のエレベータ異常監視装置では、異常が発生が検出されてから一定時間が経過するまでその異常が継続して検出された場合に初めて、管理センタに電話回線を用いて異常の発生を通知し、一定時間が経過する前に異常が終了して検出されなくなった場合には、その都度電話回線で管理センタに通知することをしないようにしている。
【０００６】
そして、管理センタへの通知をしない代わりに、短時間の異常が発生したという記録を端末に残し、同様の短時間の異常の記録が端末に所定回数分蓄積された時点で、それらの記録を一度に電話回線で管理センタに通知する構成としている。
【０００７】
【発明が解決しようとする課題】
ところが、上述した従来技術では、一定時間継続しないような短時間の異常については、そのような異常の発生回数が所定回数分に達するまで管理センタに通知されないので、完全には異常状態でないが安定した正常動作状態ではない、いわば不安定状態とでも言うような短時間の異常の発生を、管理センタに迅速に通知し認識させることができないという不具合がある。
【０００８】
尚、管理センタに一度にまとめて通知する記録の回数を低く設定すればする程、短時間の異常の発生から、端末に蓄積した短時間の異常の記録を管理センタに通知するまでの時間差を減らすことができるが、そうすると、短時間の異常の発生通知のために電話回線を使用する回数がその分だけ増えてしまい、電話回線の使用回数を減らしてランニングコストを抑制するという本来の課題の解決がおろそかになってしまう。
【０００９】
本発明は前記事情に鑑みなされたもので、本発明の目的は、遠隔監視対象が異常の発生及び終了を短時間の間に繰り返す繰り返し異常を、端末から管理センタへの通知に用いる電話回線の使用回数を抑えつつ、しかも、時間的な遅れを抑えて迅速に管理センタに認識させることができる遠隔監視システムの端末側異常通知方法と、この方法を実施する際に用いて好適な遠隔監視システム用端末装置とを提供することにある。
【００１０】
【課題を解決するための手段】
前記目的を達成する請求項１乃至請求項５記載の本発明は遠隔監視システムの端末側異常通知方法に関するものであり、請求項６乃至請求項１０記載の本発明は遠隔監視システム用端末装置に関するものである。
【００１１】
そして、請求項１に記載した本発明の遠隔監視システムの端末側異常通知方法は、管理センタの管理用ホストに電話回線を介して接続され、該管理センタから離れて配置された遠隔監視対象において発生する異常を検知し、該異常を前記電話回線により前記管理用ホストに通知するに当たり、前記異常の繰り返し時に、繰り返し異常の発生を前記管理用ホストに前記電話回線により通知し、前記繰り返し異常の発生の前記管理用ホストに対する通知後、該繰り返し異常が終了するまでの間、前記異常の前記管理用ホストに対する通知を停止し、前記繰り返し異常の発生の前記管理用ホストに対する通知後、該繰り返し異常が終了した際に、前記繰り返し異常の終了を前記電話回線により前記管理用ホストに通知するようにしたことを特徴とする。
【００１２】
また、請求項２に記載した本発明の遠隔監視システムの端末側異常通知方法は、前記遠隔監視対象における前記異常の回数を計数し、所定の時間幅の間における前記異常の回数の計数値を基に、前記繰り返し異常の発生及び終了を判別するようにした。
【００１３】
さらに、請求項３に記載した本発明の遠隔監視システムの端末側異常通知方法は、前記繰り返し異常の終了の前記管理用ホストに対する通知時に、該終了した前記繰り返し異常の発生から終了までの間における前記異常の回数の計数値を、前記管理用ホストに対して合わせて通知するようにした。
【００１４】
また、請求項４に記載した本発明の遠隔監視システムの端末側異常通知方法は、前記管理センタから離れた同一箇所の複数の前記遠隔監視対象別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視対象別に各々行うようにした。
【００１５】
さらに、請求項５に記載した本発明の遠隔監視システムの端末側異常通知方法は、前記遠隔監視対象の複数の遠隔監視項目別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視項目別に各々行うようにした。
【００１６】
また、請求項６に記載した本発明の遠隔監視システム用端末装置は、図１に基本構成図で示すように、管理センタＣの管理用ホストＨに電話回線Ｐを介して接続され、該管理センタＣから離れて配置された遠隔監視対象Ｔにおいて発生する異常を検知し、該異常を前記電話回線Ｐにより前記管理用ホストＨに通知する遠隔監視システム用の端末装置において、前記遠隔監視対象Ｔにおける前記異常の繰り返しの発生、及び、該発生した繰り返し異常の終了を判別する繰り返し異常判別手段１０Ａと、前記繰り返し異常が発生したと前記繰り返し異常判別手段１０Ａが判別した際に、前記繰り返し異常を前記電話回線Ｐにより前記管理用ホストＨに通知する繰り返し異常通知手段１０Ｂと、前記繰り返し異常通知手段１０Ｂによる前記繰り返し異常の発生の前記管理用ホストＨに対する通知後、該管理用ホストＨに対する前記異常の通知を停止させる異常通知停止手段１０Ｃと、前記異常通知停止手段１０Ｃによる前記異常の前記管理用ホストＨに対する通知の停止後、前記繰り返し異常が終了したと前記繰り返し異常判別手段１０Ａが判別した際に、前記繰り返し異常の終了を前記電話回線Ｐにより前記管理用ホストＨに通知する繰り返し異常終了通知手段１０Ｄと、前記繰り返し異常終了通知手段１０Ｄによる前記繰り返し異常の終了の前記管理用ホストＨに対する通知後、前記異常通知停止手段１０Ｃによる前記異常の前記管理用ホストＨに対する通知の停止を解除させる異常通知停止解除手段１０Ｅとを備えることを特徴とする。
【００１７】
さらに、請求項７に記載した本発明の遠隔監視システム用端末装置は、前記繰り返し異常判別手段１０Ａが、前記遠隔監視対象Ｔにおける前記異常の発生回数を計数する異常発生回数計数手段１０Ｆと、現在から所定時間遡った時点までの最新の所定時間の間に前記異常発生回数計数手段１０Ｆが計数した最新の計数値を、所定の開始基準値と周期的に比較する開始比較手段１０Ｇと、前記最新の計数値を所定の終了基準値と周期的に比較する終了比較手段１０Ｈとを有しており、前記開始比較手段１０Ｇによる比較結果を基に、前記最新の計数値が前記開始基準値を最初に上回った際に前記繰り返し異常が発生したと判別し、前記最新の計数値が前記終了基準値を最初に下回った際に前記繰り返し異常が終了したと判別するものとした。
【００１８】
また、請求項８に記載した本発明の遠隔監視システム用端末装置は、前記繰り返し異常終了通知手段１０Ｄが、前記繰り返し異常が終了したと前記繰り返し異常判別手段１０Ａが判別した際に、前記繰り返し異常が発生したと前記繰り返し異常判別手段１０Ａが判別した時点から前記異常発生回数計数手段１０Ｆが計数した前記計数値を、前記繰り返し異常の終了と共に前記管理用ホストＨに通知するものとした。
【００１９】
さらに、請求項９に記載した本発明の遠隔監視システム用端末装置は、前記遠隔監視対象Ｔが前記管理センタＣから離れた同一箇所に複数配置されており、前記繰り返し異常判別手段１０Ａによる前記繰り返し異常の発生及び終了の判別、前記繰り返し異常通知手段１０Ｂによる前記繰り返し異常の前記管理用ホストＨへの通知、前記異常通知停止手段１０Ｃによる前記異常の前記管理用ホストＨに対する通知の停止、前記繰り返し異常終了通知手段１０Ｄによる前記繰り返し異常の終了の前記管理用ホストＨに対する通知、並びに、前記異常通知停止解除手段１０Ｅによる前記異常の前記管理用ホストＨに対する通知の停止の解除が、前記各遠隔監視対象Ｔ別に各々行われるものとした。
【００２０】
また、請求項１０に記載した本発明の遠隔監視システム用端末装置は、前記遠隔監視対象Ｔが複数の遠隔監視項目を有しており、前記繰り返し異常判別手段１０Ａによる前記繰り返し異常の発生及び終了の判別、前記繰り返し異常通知手段１０Ｂによる前記繰り返し異常の前記管理用ホストＨへの通知、前記異常通知停止手段１０Ｃによる前記異常の前記管理用ホストＨに対する通知の停止、前記繰り返し異常終了通知手段１０Ｄによる前記繰り返し異常の終了の前記管理用ホストＨに対する通知、並びに、前記異常通知停止解除手段１０Ｅによる前記異常の前記管理用ホストＨに対する通知の停止の解除が、前記各遠隔監視項目別に各々行われるものとした。
【００２１】
請求項１に記載した本発明の遠隔監視システムの端末側異常通知方法によれば、遠隔監視対象の異常が繰り返されると、通常ならばその都度管理センタの管理用ホストに電話回線を介して通知がなされるところであるが、その都度の通知は行われず、その代わりに、異常の繰り返しの始まりと終わりとに１度ずつ管理用ホストに電話回線を介して通知がなされる。
従って、異常の度に管理用ホストに通知するのに比べて異常の通知回数が減り、これにより、ランニングコストを抑えることが可能となる。
【００２２】
しかも、繰り返し異常の始まりを通知することにより、それ以後、繰り返し異常の終了が通知されるまでの間、繰り返し異常が継続していることを管理用ホストに認識させ続けることが可能となるので、異常の度に電話回線を介した通知をいちいち行わなくても、遠隔監視対象の異常が引き続き繰り返されていることを、時間的な遅れを抑えて迅速に管理用ホストに認識させることが可能となる。
【００２３】
尚、請求項６に記載した本発明の遠隔監視システム用端末装置についても、同様のことが言える。
【００２４】
また、請求項２に記載した本発明の遠隔監視システムの端末側異常通知方法によれば、例えば、遠隔監視対象の繰り返し異常の発生の通知を受けた管理用ホストの要求に応えて、異常の回数の計数値を管理用ホストに提供する等、繰り返し異常の発生及び終了の判別材料となる異常の回数の計数値を、繰り返し異常の具体的な内容を解析するための情報として管理用ホストに認識させることが可能となる。
【００２５】
尚、請求項７に記載した本発明の遠隔監視システム用端末装置についても、同様のことが言える。
【００２６】
さらに、請求項３に記載した本発明の遠隔監視システムの端末側異常通知方法によれば、繰り返し異常の具体的な内容を解析するための情報を、それ以後に内容が変動することのない繰り返し異常の終了時点に、最終の情報として、管理用ホストに要求させるという余分な手間をかけることなく、繰り返し異常の終了を通知するついでに管理用ホストに通知することができる。
【００２７】
尚、請求項８に記載した本発明の遠隔監視システム用端末装置についても、同様のことが言える。
【００２８】
また、請求項４に記載した本発明の遠隔監視システムの端末側異常通知方法によれば、繰り返し異常の発生と終了との通知が複数の遠隔監視対象の各々について個別に行われるので、どの遠隔監視対象が繰り返し異常を起こしているのかを管理用ホスト側で特定させることが可能となり、従って、この繰り返し異常に対する何らかの対策を施す際に、どの遠隔監視対象にその対策を施せばよいのかを容易に決定することが可能となる。
【００２９】
尚、請求項９に記載した本発明の遠隔監視システム用端末装置についても、同様のことが言える。
【００３０】
さらに、請求項５に記載した本発明の遠隔監視システムの端末側異常通知方法によれば、繰り返し異常の発生と終了とが、遠隔監視対象の複数の遠隔監視項目の各々について個別に行われるので、同じ遠隔監視対象であってもどの遠隔監視項目が繰り返し異常を起こしているのかを管理用ホスト側で特定させることが可能となり、従って、この繰り返し異常に対する何らかの対策を施す際に、遠隔監視対象のうちのどの遠隔監視項目にその対策を施せばよいのかを容易に決定することが可能となる。
【００３１】
尚、請求項１０に記載した本発明の遠隔監視システム用端末装置についても、同様のことが言える。
【００３２】
【発明の実施の形態】
以下、本発明の遠隔監視システムの端末側異常通知方法を、遠隔監視システム用端末装置と共に図面により説明する。
【００３３】
図２は本発明の一実施形態に係る端末装置を含む遠隔監視システムの概略構成を示すブロック図であり、本実施形態の遠隔監視システムは、複数の店舗Ｓ１〜Ｓｎに配置された遠隔監視用の端末装置Ｔ１〜Ｔｎと、各店舗Ｓ１〜Ｓｎの集中管理センタＣの中央監視装置（管理用ホストに相当）Ｈとを、各々モデムｍ１〜ｍｎ，Ｍを介して公衆電話回線網（以下、電話回線と称する）Ｐにより接続して構成されている。
【００３４】
そして、前記店舗Ｓ１には、管理センタＣの監視要員（図示せず）が中央監視装置Ｈから出力されるレポート等を見ながら監視する対象である、ショーケースＳＣ１と、このショーケースＳＣ１の内部に収納される冷凍商品を冷凍状態に保つのに十分な温度に冷却する冷凍機Ｒ１とが配設されており、他の各店舗Ｓ２〜Ｓｎにも、店舗Ｓ１と同様に、ショーケースＳＣ２〜ＳＣｎと、このショーケースＳＣ２〜ＳＣｎの内部を冷凍に適した温度に冷却する冷凍機Ｒ２〜Ｒｎとが、各々配設されている。
【００３５】
前記ショーケースＳＣ１〜ＳＣｎは、内部の温度を検出する温度センサＴＳ１〜ＴＳｎ（図３参照）を各々有しており、各温度センサＴＳ１〜ＴＳｎは、検出した各ショーケースＳＣ１〜ＳＣｎの内部の温度に応じたレベルの温度信号を各々出力するように構成されている。
【００３６】
また、前記冷凍機Ｒ１〜Ｒｎは、内部のコンプレッサ（図示せず）の圧力を検出する圧力センサＰＳ１〜ＰＳｎ（図３参照）と、コンプレッサ用のモータが過電流状態となった際に電源供給を遮断するブレーカ（図示せず）の状態を検出する接点状態センサＣＳ１〜ＣＳｎ（図３参照）とを有している。
【００３７】
そして、各圧力センサＰＳ１〜ＰＳｎは、前記不図示のコンプレッサの圧力に応じたレベルの圧力信号を出力するように構成されており、各接点状態センサＣＳ１〜ＣＳｎは、前記不図示のブレーカの正常通電時と溶断時とでレベルが異なる接点信号を出力するように構成されている。
【００３８】
尚、本実施形態では、ショーケースＳＣ１〜ＳＣｎと冷凍機Ｒ１〜Ｒｎとが、請求項中の遠隔監視対象にそれぞれ相当している。
【００３９】
次に、前記各店舗Ｓ１〜Ｓｎの端末装置Ｔ１〜Ｔｎを代表して、店舗Ｓ１の端末装置Ｔ１の電気的な概略構成を、図３のブロック図を参照して説明する。
【００４０】
前記端末装置Ｔ１は、ＣＰＵ（Ｃｅｎｔｒａｌ  Ｐｒｏｃｅｓｓｉｎｇ  Ｕｎｉｔ  、中央処理装置）１０ａと、ＲＡＭ（Ｒａｎｄｏｍ  Ａｃｃｅｓｓ  Ｍｅｍｏｒｙ）１０ｂと、ＲＯＭ（Ｒｅａｄ−Ｏｎｌｙ  Ｍｅｍｏｒｙ）１０ｃ等を備えている。
【００４１】
前記ＣＰＵ１０ａには、前記ＲＡＭ１０ｂ及びＲＯＭ１０ｃの他、ショーケースＳＣ１の温度センサＴＳ１と、冷凍機Ｒ１の圧力センサＰＳ１及び接点状態センサＣＳ１とが接続されており、さらに、前記モデムｍ１を介して前記電話回線Ｐが接続されている。
【００４２】
前記ＲＡＭ１０ｂは、各種データ記憶用のデータエリア及び各種処理作業に用いるワークエリアを有しており、このうちワークエリアには、図４にメモリエリアマップで示すように、開始終了回数カウンタ、開始通知バッファ、終了通知バッファ、繰り返し開始通知バッファ、繰り返し終了通知バッファ、マスクタイマ、繰り返し中フラグ、マスク中フラグ、並びに、開始通知済フラグの各エリアが、温度用、圧力用、及び、接点用にそれぞれ設けられていると共に、回線タイマ及び回線待ち中フラグの両エリアが設けられている。
【００４３】
また、前記ＲＯＭ１０ｃには、ＣＰＵ１０ａに各種処理動作を行わせるための制御プログラムが格納されている。
【００４４】
そして、他の各店舗Ｓ２〜Ｓｎの端末装置Ｔ２〜Ｔｎも、図３中にカッコ書きの引用符号で示すように、上述した店舗Ｓ１の端末装置Ｔ１と同様に構成され、且つ、端末装置Ｔ１と同様の接続関係とされている。
【００４５】
次に、各店舗Ｓ１〜Ｓｎの端末装置Ｔ１〜Ｔｎを代表して、店舗Ｓ１の端末装置Ｔ１において、ＲＯＭ１０ｃに格納された制御プログラムに従いＣＰＵ１０ａが行う処理を、図５乃至図１３のフローチャートを参照して説明する。
【００４６】
不図示の電源の投入により端末装置Ｔ１が起動してプログラムがスタートすると、ＣＰＵ１０ａは、図５に示すように、初期設定を行う（ステップＳ１）。
このステップＳ１の初期設定では、ＲＡＭ１０ｂの開始終了回数カウンタエリアのカウント値Ｎをゼロリセットすると共に、温度用、圧力用、及び、接点用の、開始通知バッファ、終了通知バッファ、繰り返し開始通知バッファ、並びに、繰り返し終了通知バッファの各エリアをクリアする。
【００４７】
また、ステップＳ１の初期設定では、マスクタイマ及び回線タイマの各エリアのタイマをゼロリセットし、さらに、繰り返し中フラグ、マスク中フラグ、開始通知済フラグ、並びに、回線待ち中フラグの各エリアのフラグＦ１〜Ｆ７をそれぞれ「０」に設定する。
【００４８】
ステップＳ１の初期設定が済んだならば、以後は、温度センサＴＳ１からの温度信号を基にショーケースＳＣ１の内部の温度を監視する温度監視処理（ステップＳ３）、圧力センサＰＳ１からの圧力信号を基に冷凍機Ｒ１の不図示のコンプレッサの圧力を監視する圧力監視処理（ステップＳ５）、接点状態センサＣＳ１からの接点信号を基に冷凍機Ｒ１の不図示のブレーカの通電、溶断の状態を監視する接点監視処理（ステップＳ７）と、管理センタＣの中央監視装置Ｈに対する各種通知を実行する通知処理（ステップＳ９）とを、サイクリックに順次繰り返して行う。
【００４９】
そして、前記ステップＳ３の温度監視処理では、図６にサブルーチンのフローチャートで示すように、まず、温度センサＴＳ１からの温度信号をサンプリングし（ステップＳ３ａ）、次に、サンプリングした温度信号の信号レベルが、この温度信号に対して設定された正常値の範囲外から範囲内に戻ったか否かを確認する（ステップＳ３ｂ）。
【００５０】
温度信号がその正常値の範囲外から範囲内に戻った場合は（ステップＳ３ｂでＹ）、後述するステップＳ３ｍに進み、範囲外から範囲内に戻っていない場合は（ステップＳ３ｂでＮ）、温度信号が各々の正常値の範囲内から範囲外に外れたか否かを確認する（ステップＳ３ｃ）。
【００５１】
温度信号がその正常値の範囲内から範囲外に外れていない場合は（ステップＳ３ｃでＮ）、温度監視処理を終了して図５のメインルーチンに戻り、範囲内から範囲外に外れた場合は（ステップＳ３ｃでＹ）、ＲＡＭ１０ｂの温度用開始終了回数カウンタエリアのカウント値ＮＡを「１」インクリメントした後（ステップＳ３ｄ）、ＲＡＭ１０ｂの温度用繰り返し中フラグエリアのフラグＦ１が「０」であるか否かを確認する（ステップＳ３ｅ）。
【００５２】
温度用繰り返し中フラグエリアのフラグＦ１が「０」でない場合は（ステップＳ３ｅ）、温度監視処理を終了して図５のメインルーチンに戻り、フラグＦ１が「０」である場合は、温度用開始終了回数カウンタエリアのカウント値ＮＡのうち、現在から所定時間遡った時点までの最新の所定時間の間にカウントアップされたカウント値ＮＡが、繰り返し開始判定数ＮＨを上回っているか否かを確認する（ステップＳ３ｆ）。
【００５３】
最新のカウント値ＮＡが繰り返し開始判定数ＮＨを上回っていない場合は（ステップＳ３ｆでＮ）、後述するステップＳ３ｊに進み、繰り返し開始判定数ＮＨを上回っている場合は（ステップＳ３ｆでＹ）、温度用繰り返し異常開始通知データを生成してＲＡＭ１０ｂの温度用繰り返し開始通知バッファエリアに格納すると共に（ステップＳ３ｇ）、温度用繰り返し中フラグエリアのフラグＦ１を「１」に設定した後（ステップＳ３ｈ）、温度監視処理を終了して図５のメインルーチンに戻る。
【００５４】
一方、ステップＳ３ｆにおいて温度用開始終了回数カウンタエリアの最新のカウント値ＮＡが、繰り返し開始判定数ＮＨを上回っていない場合（Ｎ）に進むステップＳ３ｊでは、ＲＡＭ１０ｂの温度用マスクタイマエリアのタイマによるタイムカウントをスタートさせる、次に、ＲＡＭ１０ｂの温度用マスク中フラグエリアのフラグＦ３を「１」に設定した後（ステップＳ３ｋ）、温度監視処理を終了して図５のメインルーチンに戻る。
【００５５】
また、ステップＳ３ｂにおいて温度信号がその正常値の範囲外から範囲内に戻った場合（Ｙ）に進むステップＳ３ｍでは、図７に図６のサブルーチンに続くサブルーチンのフローチャートで示すように、ＲＡＭ１０ｂの温度用開始終了回数カウンタエリアのカウント値ＮＡを「１」インクリメントし、次に、ＲＡＭ１０ｂの温度用繰り返し中フラグエリアのフラグＦ１が「０」であるか否かを確認する（ステップＳ３ｎ）。
【００５６】
温度用繰り返し中フラグエリアのフラグＦ１が「０」である場合は（ステップＳ３ｎでＹ）、後述するステップＳ３ｔに進み、フラグＦ１が「０」でない場合は（ステップＳ３ｎでＮ）、温度用開始終了回数カウンタエリアのカウント値ＮＡのうち、現在から所定時間遡った時点までの最新の所定時間の間にカウントアップされたカウント値ＮＡが、繰り返し終了判定数ＮＬを下回っているか否かを確認する（ステップＳ３ｐ）。
【００５７】
最新のカウント値ＮＡが繰り返し終了判定数ＮＬを下回っていない場合は（ステップＳ３ｐでＮ）、温度監視処理を終了して図５のメインルーチンに戻り、繰り返し終了判定数ＮＬを下回っている場合は（ステップＳ３ｐでＹ）、温度用繰り返し異常終了通知データを生成してＲＡＭ１０ｂの温度用繰り返し終了通知バッファエリアに格納すると共に（ステップＳ３ｒ）、温度用繰り返し中フラグエリアのフラグＦ１を「０」に設定した後（ステップＳ３ｓ）、温度監視処理を終了して図５のメインルーチンに戻る。
【００５８】
一方、ステップＳ３ｎにおいて温度用繰り返し中フラグエリアのフラグＦ１が「０」である場合（Ｙ）に進むステップＳ３ｔでは、ＲＡＭ１０ｂの温度用開始通知済フラグエリアのフラグＦ５が「０」であるか否かを確認し、フラグＦ５が「０」である場合は（ステップＳ３ｔでＹ）、後述するステップＳ３ｘに進む。
【００５９】
また、温度用開始通知済フラグエリアのフラグＦ５が「０」でない場合は（ステップＳ３ｔでＮ）、温度用異常終了通知データを生成してＲＡＭ１０ｂの温度用終了通知バッファエリアに格納すると共に（ステップＳ３ｖ）、温度用開始通知済フラグエリアのフラグＦ５を「０」に設定した後（ステップＳ３ｗ）、ステップＳ３ｘに進む。
【００６０】
ステップＳ３ｘでは、ＲＡＭ１０ｂの温度用マスクタイマエリアのタイマによるタイムカウントをストップさせてカウントタイムをリセットし、次に、ＲＡＭ１０ｂの温度用マスク中フラグエリアのフラグＦ３を「０」に設定した後（ステップＳ３ｙ）、温度監視処理を終了して図５のメインルーチンに戻る。
【００６１】
尚、ステップＳ３ｇにおけるＲＡＭ１０ｂの温度用繰り返し開始通知バッファエリアへの温度用繰り返し異常開始通知データの格納の際や、ステップＳ３ｒにおけるＲＡＭ１０ｂの温度用繰り返し終了通知バッファエリアへの温度用繰り返し異常終了通知データの格納の際に、それら各エリアにデータが既に格納されている場合には、その既に格納されているデータが今回のデータに更新される。
【００６２】
ステップＳ３の温度監視処理に続くステップＳ５の圧力監視処理と、このステップＳ５の圧力監視処理に続くステップＳ７の接点監視処理では、図８と図９、及び、図１０と図１１にサブルーチンのフローチャートで各々示すように、図５と図６に示すステップＳ３ａ〜ステップＳ３ｙと同様のステップＳ５ａ〜ステップＳ５ｙ、及び、ステップＳ７ａ〜ステップＳ７ｙの処理を各々行う。
【００６３】
但し、開始終了回数カウンタ、開始通知バッファ、終了通知バッファ、繰り返し開始通知バッファ、繰り返し終了通知バッファ、マスクタイマ、繰り返し中フラグ、マスク中フラグ、並びに、開始通知済フラグの各エリアに関連する処理を、ステップＳ３ａ〜ステップＳ３ｙでは温度用の各エリアを用いていたのに対し、ステップＳ５ａ〜ステップＳ５ｙでは圧力用の各エリアを用い、また、ステップＳ７ａ〜ステップＳ７ｙでは接点用の各エリアを用いている点で、ステップＳ３の温度監視処理と、ステップＳ５の圧力監視処理及びステップＳ７の接点監視処理とでは内容が僅かに異なっている。
【００６４】
また、ステップＳ５の圧力監視処理及びステップＳ７の接点監視処理は、圧力信号や接点信号の正常値の範囲が温度信号の正常値の範囲と異なる点で、ステップＳ３の温度監視処理とは内容が僅かに異なっている。
【００６５】
次に、前記ステップＳ９の通知処理では、図１２にサブルーチンのフローチャートで示すように、ＲＡＭ１０ｂの温度用マスク中フラグエリアのフラグＦ３が「０」であるか否かを確認し（ステップＳ９ａ）、フラグＦ３が「０」である場合は（ステップＳ９ａでＹ）、後述するステップＳ９ｆに進み、フラグＦ３が「０」でない場合は（ステップＳ９ａでＮ）、ＲＡＭ１０ｂの温度用マスクタイマエリアのタイマによるカウントタイムが規定のマスク時間に達してタイムアップしているか否かを確認する（ステップＳ９ｂ）。
【００６６】
温度用マスクタイマエリアのカウントタイムがタイムアップしていない場合は（ステップＳ９ｂでＮ）、ステップＳ９ｆに進み、タイムアップしている場合は（ステップＳ９ｂでＹ）、温度用異常開始通知データを生成してＲＡＭ１０ｂの温度用開始通知バッファエリアに格納し（ステップＳ９ｃ）、温度用マスクタイマエリアのタイマによるタイムカウントをストップさせてカウントタイムをリセットすると共に（ステップＳ９ｄ）、温度用マスク中フラグエリアのフラグＦ３を「０」に設定した後（ステップＳ９ｅ）、ステップＳ９ｆに進む。
【００６７】
ステップＳ９ａにおいて温度用マスク中フラグエリアのフラグＦ３が「０」である場合（Ｙ）、ステップＳ９ｂにおいて温度用マスクタイマエリアのカウントタイムがタイムアップしていない場合（Ｎ）、及び、ステップＳ９ｅにおいて温度用マスク中フラグエリアのフラグＦ３を「０」に設定した後に進むステップＳ９ｆでは、ＲＡＭ１０ｂの圧力用マスク中フラグエリアのフラグＦ９が「０」であるか否かを確認する。
【００６８】
圧力用マスク中フラグエリアのフラグＦ９が「０」である場合は（ステップＳ９ｆでＹ）、後述するステップＳ９ｍに進み、フラグＦ９が「０」でない場合は（ステップＳ９ｆでＮ）、ＲＡＭ１０ｂの圧力用マスクタイマエリアのタイマによるカウントタイムが規定のマスク時間に達してタイムアップしているか否かを確認する（ステップＳ９ｇ）。
【００６９】
圧力用マスクタイマエリアのカウントタイムがタイムアップしていない場合は（ステップＳ９ｇでＮ）、ステップＳ９ｍに進み、タイムアップしている場合は（ステップＳ９ｇでＹ）、圧力用異常開始通知データを生成してＲＡＭ１０ｂの圧力用開始通知バッファエリアに格納し（ステップＳ９ｈ）、圧力用マスクタイマエリアのタイマによるタイムカウントをストップさせてカウントタイムをリセットすると共に（ステップＳ９ｊ）、圧力用マスク中フラグエリアのフラグＦ９を「０」に設定した後（ステップＳ９ｋ）、ステップＳ９ｍに進む。
【００７０】
ステップＳ９ｆにおいて圧力用マスク中フラグエリアのフラグＦ９が「０」である場合（Ｙ）、ステップＳ９ｇにおいて圧力用マスクタイマエリアのカウントタイムがタイムアップしていない場合（Ｎ）、及び、ステップＳ９ｋにおいて圧力用マスク中フラグエリアのフラグＦ９を「０」に設定した後に進むステップＳ９ｍでは、ＲＡＭ１０ｂの接点用マスク中フラグエリアのフラグＦ１５が「０」であるか否かを確認する。
【００７１】
接点用マスク中フラグエリアのフラグＦ１５が「０」である場合は（ステップＳ９ｍでＹ）、後述するステップＳ９ｔに進み、フラグＦ１５が「０」でない場合は（ステップＳ９ｍでＮ）、ＲＡＭ１０ｂの接点用マスクタイマエリアのタイマによるカウントタイムが規定のマスク時間に達してタイムアップしているか否かを確認する（ステップＳ９ｎ）。
【００７２】
接点用マスクタイマエリアのカウントタイムがタイムアップしていない場合は（ステップＳ９ｎでＮ）、ステップＳ９ｔに進み、タイムアップしている場合は（ステップＳ９ｎでＹ）、接点用異常開始通知データを生成してＲＡＭ１０ｂの接点用開始通知バッファエリアに格納し（ステップＳ９ｐ）、接点用マスクタイマエリアのタイマによるタイムカウントをストップさせてカウントタイムをリセットすると共に（ステップＳ９ｒ）、接点用マスク中フラグエリアのフラグＦ１５を「０」に設定した後（ステップＳ９ｓ）、ステップＳ９ｔに進む。
【００７３】
ステップＳ９ｍにおいて接点用マスク中フラグエリアのフラグＦ１５が「０」である場合（Ｙ）、ステップＳ９ｎにおいて接点用マスクタイマエリアのカウントタイムがタイムアップしていない場合（Ｎ）、及び、ステップＳ９ｓにおいて接点用マスク中フラグエリアのフラグＦ１５を「０」に設定した後に進むステップＳ９ｔでは、ＲＡＭ１０ｂの回線待ち中フラグエリアのフラグＦ１９が「０」であるか否かを確認する。
【００７４】
回線待ち中フラグエリアのフラグＦ１９が「０」である場合は（ステップＳ９ｔでＹ）、後述するステップＳ９ｙに進み、フラグＦ１９が「０」でない場合は（ステップＳ９ｔでＮ）、ＲＡＭ１０ｂの回線タイマエリアのタイマによるカウントタイムが規定の回線待ち時間に達してタイムアップしているか否かを確認する（ステップＳ９ｖ）。
【００７５】
回線タイマエリアのカウントタイムがタイムアップしていない場合は（ステップＳ９ｖでＮ）、通知処理を終了して図５のメインルーチンに戻り、タイムアップした場合は（ステップＳ９ｖでＹ）、回線タイマエリアのタイマによるタイムカウントをストップさせてカウントタイムをリセットし（ステップＳ９ｗ）、次に、回線待ち中フラグエリアのフラグＦ１９を「０」に設定した後（ステップＳ９ｘ）、ステップＳ９ｙに進む。
【００７６】
ステップＳ９ｔにおいて回線待ち中フラグエリアのフラグＦ１９が「０」である場合（Ｙ）、及び、ステップＳ９ｘにおいて回線待ち中フラグエリアのフラグＦ７を「０」に設定した後に進むステップＳ９ｙでは、図１３に図１２のサブルーチンに続くサブルーチンのフローチャートで示すように、まず、ＲＡＭ１０ｂの温度用、圧力用、及び、接点用の各開始通知バッファエリア、終了通知バッファエリア、繰り返し開始通知バッファエリア、並びに、繰り返し終了通知バッファエリアのいずれかに、中央監視装置Ｈに通知すべきデータがあるか否かを確認する。
【００７７】
中央監視装置Ｈに通知すべきデータがない場合は（ステップＳ９ｙでＮ）、通知処理を終了して図５のメインルーチンに戻り、通知すべきデータがある場合は（ステップＳ９ｙでＹ）、その通知すべきデータが、ＲＡＭ１０ｂの温度用開始通知バッファエリアに格納されている温度用異常開始通知データであるか否かを確認する（ステップＳ９ｚ）。
【００７８】
通知すべきデータが温度用異常開始通知データでない場合は（ステップＳ９ｚでＮ）、後述するステップＳ９Ｂに進み、温度用異常開始通知データである場合は（ステップＳ９ｚでＹ）、ＲＡＭ１０ｂの温度用開始通知済フラグエリアのフラグＦ５を「１」に設定した後（ステップＳ９Ａ）、ステップＳ９Ｂに進む。
【００７９】
ステップＳ９Ｂでは、ステップＳ９ｙにおいてあるとされた通知すべきデータが、ＲＡＭ１０ｂの圧力用開始通知バッファエリアに格納されている圧力用異常開始通知データであるか否かを確認し、圧力用異常開始通知データでない場合は（ステップＳ９ＢでＮ）、後述するステップＳ９Ｄに進み、圧力用異常開始通知データである場合は（ステップＳ９ＢでＹ）、ＲＡＭ１０ｂの圧力用開始通知済フラグエリアのフラグＦ１１を「１」に設定した後（ステップＳ９Ｃ）、ステップＳ９Ｄに進む。
【００８０】
ステップＳ９Ｄでは、ステップＳ９ｙにおいてあるとされた通知すべきデータが、ＲＡＭ１０ｂの接点用開始通知バッファエリアに格納されている接点用異常開始通知データであるか否かを確認し、接点用異常開始通知データでない場合は（ステップＳ９ＤでＮ）、後述するステップＳ９Ｆに進み、接点用異常開始通知データである場合は（ステップＳ９ＤでＹ）、ＲＡＭ１０ｂの接点用開始通知済フラグエリアのフラグＦ１７を「１」に設定した後（ステップＳ９Ｅ）、ステップＳ９Ｆに進む。
【００８１】
ステップＳ９Ｆでは、ＲＡＭ１０ｂの温度用、圧力用、及び、接点用の各開始通知バッファエリア、終了通知バッファエリア、繰り返し開始通知バッファエリア、並びに、繰り返し終了通知バッファエリアに格納されている、中央監視装置Ｈに通知すべきデータを、中央監視装置Ｈに割り当てられた電話番号に自動発呼をかけることで、モデムｍ１及び電話回線Ｐを介して送出し、その後、電話回線Ｐをオンフック動作により切断する。
【００８２】
次に、温度用、圧力用、及び、接点用の各開始通知バッファエリア、終了通知バッファエリア、繰り返し開始通知バッファエリア、並びに、繰り返し終了通知バッファエリアのうち、送出したデータが格納されていたバッファエリアをクリアし（ステップＳ９Ｇ）、ＲＡＭ１０ｂの回線タイマエリアのタイマによるタイムカウントをスタートさせると共に（ステップＳ９Ｈ）、ＲＡＭ１０ｂの回線待ち中フラグエリアのフラグＦ１９を「１」に設定した後（ステップＳ９Ｊ）、通知処理を終了して図５のメインルーチンに戻る。
【００８３】
そして、店舗Ｓ１を除く他の各店舗Ｓ２〜Ｓｎの端末装置Ｔ２〜ＴｎのＣＰＵ１０ａも、各々の端末装置Ｔ２〜ＴｎのＲＯＭ１０ｃに格納された制御プログラムに従い、上述した店舗Ｓ１の端末装置Ｔ１のＣＰＵ１０ａと同様の処理をそれぞれ行う。
【００８４】
尚、本実施形態では、ショーケースＳＣ１〜ＳＣｎ内の温度と、冷凍機Ｒ１〜Ｒｎのコンプレッサ圧力及びブレーカ接点との異常発生回数を表す、温度用、圧力用、及び、接点用の各開始終了回数カウンタエリアのカウント値ＮＡ，ＮＢ，ＮＣの僅かな変化によって、繰り返し開始判定数ＮＨや繰り返し終了判定数ＮＬとの比較の結果、異常の開始と終了とが頻繁に判別されることがないように、異常の開始の判別と終了の判定との間にヒステリシス特性を持たせるために、繰り返し開始判定数ＮＨと繰り返し終了判定数ＮＬとの各々の値が、ＮＨ＞ＮＬに設定されている。
【００８５】
また、本実施形態では、マスク時間が３０分に設定されており、回線待ち時間が、中央監視装置Ｈに割り当てられた電話番号の電話回線が１つの端末装置Ｔ１〜Ｔｎからの多数回の着信通話で長時間占有されてしまい、他の端末装置Ｔ１〜Ｔｎからの着信が不可能となることがないようにするための、単位時間当たりの最長通話許可時間に合わせて、５分に設定されている。
【００８６】
以上の説明からも明らかなように、本実施形態の遠隔監視システムでは、請求項中の開始比較手段１０Ｇが、図６のフローチャートにおけるステップＳ３ｆ、図８のフローチャートにおけるステップＳ５ｆ、及び、図１０のフローチャートにおけるステップＳ７ｆで構成されており、終了比較手段１０Ｈが、図７のフローチャートにおけるステップＳ３ｐ、図９のフローチャートにおけるステップＳ５ｐ、及び、図１１のフローチャートにおけるステップＳ７ｐで構成されており、これら開始比較手段１０Ｇ及び終了比較手段１０Ｈを含んで、請求項中の繰り返し異常判別手段１０Ａが構成されている。
【００８７】
また、本実施形態の遠隔監視システムでは、請求項中の繰り返し異常通知手段１０Ｂが、図６中のステップＳ３ｇ、図８中のステップＳ５ｇ、及び、図１０中のステップＳ７ｇと、図１３のフローチャートにおけるステップＳ９Ｆとで構成されており、異常通知停止手段１０Ｃが、図６中のステップＳ３ｅ及びステップＳ３ｈと、図８中のステップＳ５ｅ及びステップＳ５ｈと、図１０中のステップＳ７ｅ及びステップＳ７ｈとで構成されている。
【００８８】
さらに、本実施形態の遠隔監視システムでは、請求項中の繰り返し異常終了通知手段１０Ｄが、図７中のステップＳ３ｒ、図９中のステップＳ５ｒ、並びに、図１１中のステップＳ７ｒと、図１３中のステップＳ９Ｆとで構成されており、異常通知停止解除手段１０Ｅが、図６中のステップＳ３ｅ、図８中のステップＳ５ｅ、並びに、図１０中のステップＳ７ｅと、図７中のステップＳ３ｓ、図９中のステップＳ５ｓ、並びに、図１１中のステップＳ７ｓとで構成されており、異常発生回数計数手段１０Ｆが、図６中のステップＳ３ｄ、図８中のステップＳ５ｄ、並びに、図１０中のステップＳ７ｄと、図７中のステップＳ３ｍ、図９中のステップＳ５ｍ、並びに、図１０中のステップＳ７ｍとで構成されている。
【００８９】
次に、上述のように構成された本実施形態の遠隔監視システムにおける各店舗Ｓ１〜Ｓｎの端末装置Ｔ１〜Ｔｎを代表して、店舗Ｓ１の端末装置Ｔ１の動作（作用）について説明する。
【００９０】
まず、ショーケースＳＣ１内の温度、冷凍機Ｒ１のコンプレッサ圧力、及び、冷凍機Ｒ１のブレーカ接点のうちのどれか１つについて、図１４（ａ）にタイムチャートで示すように、期間アの間にマスク時間を超える時間長の異常が複数回連続して起こった場合には、各々の異常の開始時と終了時とに、図１４（ｃ）にタイムチャートで示すように、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）が、異常の開始時と終了時とにそれぞれ「１」ずつインクリメントされる。
【００９１】
そして、異常となった開始終了回数カウンタエリアのカウント値ＮＡ（ＮＢ，ＮＣ）のうち、現在から所定時間遡った時点までの最新の所定時間の間にカウントアップされた最新のカウント値ＮＡが、繰り返し開始判定数ＮＨを越えない間は、図１４（ｂ）にタイムチャートで示すように、各異常の開始からマスク時間が経過した時点で、中央監視装置Ｈに割り当てられた電話番号への発呼動作が自動で行われる。
【００９２】
その後、中央監視装置Ｈとの間の電話回線Ｐが通じたら、温度用、圧力用、及び、接点用の各異常開始通知データのうち、連続して異常が起こったものに関する異常開始データが、電話回線Ｐを介して中央監視装置Ｈに送出されると共に、各異常の終了時点で、温度用、圧力用、及び、接点用の各異常終了通知データのうち、連続して異常が起こったものに関する異常終了データが、電話回線Ｐを介して中央監視装置Ｈに送出され、送出の完了後、オンフック動作が自動で行われて、中央監視装置Ｈとの間に通じた電話回線Ｐが切断される。
【００９３】
またその後、何回目かの異常の終了時に、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで下回っていた繰り返し開始判定数ＮＨを越えると、マスク時間の経過を待つことなくその時点で直ぐに、中央監視装置Ｈの電話番号への自動発呼により通じた電話回線Ｐを介して、温度用、圧力用、及び、接点用の各繰り返し異常開始通知データのうち、連続して異常が起こったものに関する繰り返し異常開始データが中央監視装置Ｈに送出され、その後、電話回線Ｐが自動切断される。
【００９４】
さらにその後、連続した異常が起こらなくなり、時間の経過に伴って、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで越えていた繰り返し終了判定数ＮＬを下回ると、その時点で、中央監視装置Ｈの電話番号への自動発呼により通じた電話回線Ｐを介して、温度用、圧力用、及び、接点用の各繰り返し異常終了通知データのうち、連続して異常が起こったものに関する繰り返し異常終了データが中央監視装置Ｈに送出され、その後、電話回線Ｐが自動切断される。
【００９５】
尚、中央監視装置Ｈに対する繰り返し異常終了データの送出後、マスク時間を超える時間長の異常が起これば、その異常の開始からマスク時間が経過した時点で、中央監視装置Ｈに対する異常開始通知データの送出が行われ、また、その異常が終了した時点で、中央監視装置Ｈに対する異常終了通知データの送出が行われる。
【００９６】
次に、冷凍機Ｒ１のコンプレッサ圧力、及び、冷凍機Ｒ１のブレーカ接点のうちのどれか１つについて、図１５（ａ）にタイムチャートで示すように、期間イの間にマスク時間を超える時間長の異常と、マスク時間を超えない時間長の異常とが混ざって複数回連続して起こった場合には、各々の異常の開始時と終了時とに、図１５（ｃ）にタイムチャートで示すように、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）が、異常の開始時と終了時とにそれぞれ「１」ずつインクリメントされる。
【００９７】
そして、異常となった開始終了回数カウンタエリアのカウント値ＮＡ（ＮＢ，ＮＣ）のうち、現在から所定時間遡った時点までの最新の所定時間の間にカウントアップされた最新のカウント値ＮＡ（ＮＢ，ＮＣ）が、繰り返し開始判定数ＮＨを越えない間は、図１５（ｂ）にタイムチャートで示すように、マスク時間を超える時間長の各異常の開始からマスク時間が経過した時点で、中央監視装置Ｈに割り当てられた電話番号への発呼動作が自動で行われる。
【００９８】
その後、中央監視装置Ｈとの間の電話回線Ｐが通じたら、温度用、圧力用、及び、接点用の各異常開始通知データのうち、連続して異常が起こったものに関する異常開始データが、電話回線Ｐを介して中央監視装置Ｈに送出されると共に、各異常の終了時点で、温度用、圧力用、及び、接点用の各異常終了通知データのうち、連続して異常が起こったものに関する異常終了データが、電話回線Ｐを介して中央監視装置Ｈに送出され、送出の完了後、オンフック動作が自動で行われて、中央監視装置Ｈとの間に通じた電話回線Ｐが切断される。
【００９９】
一方、マスク時間を超えない時間長の異常の開始や終了に伴っては、中央監視装置Ｈに対する自動発呼や、異常開始データ及び異常終了データの送出は、一切行われない。
【０１００】
またその後、何回目かの異常の終了時に、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで下回っていた繰り返し開始判定数ＮＨを越えると、その異常がマスク時間を超える時間長であるか否かに関係なく、その時点で、中央監視装置Ｈの電話番号への自動発呼により通じた電話回線Ｐを介して、温度用、圧力用、及び、接点用の各繰り返し異常開始通知データのうち、連続して異常が起こったものに関する繰り返し異常開始データが中央監視装置Ｈに送出され、その後、電話回線Ｐが自動切断される。
【０１０１】
さらにその後、連続した異常の起こらなくなり、時間の経過に伴って、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで越えていた繰り返し終了判定数ＮＬを下回ると、その時点で、中央監視装置Ｈの電話番号への自動発呼により通じた電話回線Ｐを介して、温度用、圧力用、及び、接点用の各繰り返し異常終了通知データのうち、連続して異常が起こったものに関する繰り返し異常終了データが中央監視装置Ｈに送出され、その後、電話回線Ｐが自動切断される。
【０１０２】
尚、中央監視装置Ｈに対する繰り返し異常終了データの送出後、マスク時間を超える時間長の異常が起これば、その異常の開始と終了の両時点で、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）が、それぞれ「１」ずつインクリメントされる。
【０１０３】
これに加えて、異常の開始からマスク時間が経過した時点で、中央監視装置Ｈに対する異常開始通知データの送出が行われ、且つ、その異常が終了した時点で、中央監視装置Ｈに対する異常終了通知データの送出が行われる。
【０１０４】
また、中央監視装置Ｈに対する繰り返し異常終了データの送出後、マスク時間を超えない時間長の異常が起これば、その異常の開始と終了の両時点における、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）の「１」ずつのインクリメントのみが行われる。
【０１０５】
続いて、冷凍機Ｒ１のコンプレッサ圧力、及び、冷凍機Ｒ１のブレーカ接点のうちのどれか１つについて、図１６（ａ）にタイムチャートで示すように、期間ウの間にマスク時間を超えない時間長の異常が複数回連続して起こった場合には、各々の異常の開始時と終了時とに、図１６（ｃ）にタイムチャートで示すように、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）が、異常の開始時と終了時とにそれぞれ「１」ずつインクリメントされる。
【０１０６】
そして、異常となった開始終了回数カウンタエリアのカウント値ＮＡ（ＮＢ，ＮＣ）のうち、現在から所定時間遡った時点までの最新の所定時間の間にカウントアップされた最新のカウント値ＮＡ（ＮＢ，ＮＣ）が、繰り返し開始判定数ＮＨを越えない間は、図１６（ｂ）にタイムチャートで示すように、異常の開始や終了に伴っては、中央監視装置Ｈに対する自動発呼や、異常開始データ及び異常終了データの送出は、一切行われない。
【０１０７】
その後、何回目かの異常の終了時に、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで下回っていた繰り返し開始判定数ＮＨを越えると、その時点で、中央監視装置Ｈに割り当てられた電話番号への発呼動作が自動で行われる。
【０１０８】
そして、中央監視装置Ｈとの間の電話回線Ｐが通じたら、温度用、圧力用、及び、接点用の各繰り返し異常開始通知データのうち、連続して異常が起こったものに関する繰り返し異常開始データが、電話回線Ｐを介して中央監視装置Ｈに送出され、送出の完了後、オンフック動作が自動で行われて、中央監視装置Ｈとの間に通じた電話回線Ｐが切断される。
【０１０９】
またその後、連続した異常の起こらなくなり、時間の経過に伴って、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）が、それまで越えていた繰り返し終了判定数ＮＬを下回ると、その時点で、中央監視装置Ｈの電話番号への自動発呼により通じた電話回線Ｐを介して、温度用、圧力用、及び、接点用の各繰り返し異常終了通知データのうち、連続して異常が起こったものに関する繰り返し異常終了データが中央監視装置Ｈに送出され、その後、電話回線Ｐが自動切断される。
【０１１０】
尚、中央監視装置Ｈに対する繰り返し異常終了データの送出後、マスク時間を超えない時間長の異常が起これば、その異常の開始と終了の両時点で、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）が、それぞれ「１」ずつインクリメントされる。
【０１１１】
また、図１４乃至図１６を参照して説明した３つの形態の動作においては、繰り返し異常開始データの送出タイミング、つまり、現在から所定時間遡った時点までの最新の所定時間の間にカウントアップされたカウント値ＮＡ（ＮＢ，ＮＣ）が、それまで下回っていた繰り返し開始判定数ＮＨを越える時点が、いずれも、ある異常の開始時点であるものとした。
【０１１２】
しかし、カウント値ＮＡ（ＮＢ，ＮＣ）のカウントアップが異常の開始時と終了時とに各々行われることと、繰り返し開始判定数ＮＨと比較する最新のカウント値ＮＡ（ＮＢ，ＮＣ）が、異常の開始や終了の起こることだけでなく、時間の経過によっても変化するので、繰り返し異常開始データの送出タイミングは必ずしも異常の発生時とは一致せず、異常の終了時に一致する場合もあれば、異常の開始時及び終了時のいずれとも一致しない場合もある。
【０１１３】
さらに、上述した３つの動作の説明においては、具体的な例を挙げての言及を省略したが、異常開始通知データや異常終了通知データ、繰り返し異常開始通知データ、及び、繰り返し異常終了通知データを中央監視装置Ｈに対して送出して、中央監視装置Ｈとの間に通じた電話回線Ｐを切断した時点から、回線待ち時間が経過するまでの間は、中央監視装置Ｈに対して送出した次の通知データが発生しても、中央監視装置Ｈの電話番号への自動発呼ができないので、その通知データの中央監視装置Ｈに対する送出は、上述した回線待ち時間の経過した後となる。
【０１１４】
以上は、ショーケースＳＣ１内の温度、冷凍機Ｒ１のコンプレッサ圧力、及び、冷凍機Ｒ１のブレーカ接点のうちのどれか１つの異常が複数回連続して起こった場合について説明したが、ショーケースＳＣ１及び冷凍機Ｒ１という２つの監視対象の、温度、圧力、及び、接点という合計３つの監視項目の各々について、上述した異常の開始や終了等に伴う通知を行う関係上、中央監視装置Ｈに対して送出すべき通知データが、温度用、圧力用、及び、接点用のうち２つ、又は、３つ連続して、或は、同時に発生する場合がある。
【０１１５】
その場合には、ある通知データが発生した時点が別の通知データの送出中であれば、この別の通知データに続いて今回発生した通知データが送出され、また、あるデータが発生した時点が別の通知データの送出後の回線待ち時間中であれば、その回線待ち時間の経過後に今回発生した通知データが送出される。
【０１１６】
また、ある通知データの送出後の回線待ち時間中に別の通知データが複数連続して、或は、同時に発生した場合には、その回線待ち時間の経過後に、それら複数の通知データが、中央監視装置Ｈの電話番号への自動発呼により通じた電話回線Ｐを介して、１度にまとめて送出される。
【０１１７】
そして、上述した中央監視装置Ｈに対する各通知データの送出動作は、店舗Ｓ１を除く他の各店舗Ｓ２〜Ｓｎの端末装置Ｔ２〜Ｔｎにおいても、各々同様に行われる。
【０１１８】
このように本実施形態の遠隔監視システムによれば、各店舗Ｓ１〜ＳｎのショーケースＳＣ１〜ＳＣｎ内部の温度や、冷凍機Ｒ１〜Ｒｎのコンプレッサ圧力、ブレーカ接点を監視し、異常の発生時や終了時に、各店舗Ｓ１〜Ｓｎから離れた管理センタＣの中央監視装置Ｈに電話回線Ｐを介して、異常開始通知データや異常終了通知データを送出する端末装置Ｔ１〜Ｔｎにおいて、現在から所定時間遡った時点までの最新の所定時間の間に起こった異常の開始及び終了の回数が、所定の繰り返し開始判定数ＮＨを越えた場合に、異常が繰り返し起こっていることを示す繰り返し異常開始通知データを中央監視装置Ｈに送出する構成とした。
【０１１９】
また、本実施形態の遠隔監視システムによれば、中央監視装置Ｈに繰り返し異常開始通知データを送出した後、最新の所定時間の間に起こった異常の開始及び終了の回数が、所定の繰り返し終了判定数ＮＬを下回った場合に、異常が繰り返して起こる状態が終了したことを示す繰り返し異常終了通知データを中央監視装置Ｈに送出する構成とした。
【０１２０】
さらに、本実施形態の遠隔監視システムによれば、前記繰り返し異常開始通知データの送出から繰り返し異常終了通知データの送出までの間は、マスク時間を超える時間長の異常が繰り返したとしても、その異常が開始及び終了する都度、電話回線Ｐを介して中央監視装置Ｈに対して異常開始通知データや異常終了通知データを送出するのを止める構成とした。
【０１２１】
このため、マスク時間を超える時間長の異常が繰り返して起こった場合に、その異常が開始及び終了する都度、中央監視装置Ｈに対する異常開始通知データや異常終了通知データの送出のための発呼動作を行わなくても、異常が連続して起こっていることを、その異常が起きてから時間を置かず迅速に通知することができ、しかも、異常が起きる度に、その開始や終了を通知するために電話回線Ｐをいちいち使用しないことから、電話回線Ｐの使用回数に応じて嵩む通話料金を抑制し、異常が起こっている状況の迅速な通知を確保しつつ、その通知のためのランニングコストを低減することができる。
【０１２２】
尚、本実施形態における繰り返し異常終了通知データの送出の際に、温度用、圧力用、及び、接点用の各開始終了回数カウンタエリアのカウント値ＮＡ，ＮＢ，ＮＣのうち、異常となった開始終了回数カウンタエリアのカウント値ＮＡ（ＮＢ，ＮＣ）の、繰り返し異常終了通知データに対応して先に送出された繰り返し異常開始通知データの送出時からの増加数を別途計数し、その計数値を繰り返し異常終了通知データと共に中央監視装置Ｈに送出する構成としてもよい。
【０１２３】
また、上述した、異常となった開始終了回数カウンタエリアのカウント値ＮＡ（ＮＢ，ＮＣ）の、繰り返し異常開始通知データの送出時からの増加数の代わりに、繰り返し異常終了通知データを中央監視装置Ｈに送出する際に、繰り返し開始判定数ＮＨや繰り返し終了判定数ＮＬとの比較判定の際と同じく、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）を割り出して、そのカウント値ＮＡ（ＮＢ，ＮＣ）を繰り返し異常終了通知データと共に中央監視装置Ｈに送出する構成としてもよい。
【０１２４】
さらに、異常となった開始終了回数カウンタエリアのカウント値ＮＡ（ＮＢ，ＮＣ）の、繰り返し異常開始通知データの送出時からの増加数の計数値を、繰り返し異常終了通知データと共に中央監視装置Ｈに送出する代わりに、この計数値を、繰り返し異常開始通知データに対応する繰り返し異常終了通知データの中央監視装置Ｈに対する送出までの間保持しておいて、この保持値を、電話回線Ｐの不使用時に中央監視装置Ｈからの発呼動作により通じた電話回線Ｐを介して、中央監視装置Ｈの要求に応じて送出する構成としてもよい。
【０１２５】
これらいずれの構成とした場合にも、繰り返して起こっている異常の具体的な内容を解析する際に役立つ情報を中央監視装置Ｈに提供することができ、特に、最初と２つ目に述べた繰り返し異常終了通知データと共に中央監視装置Ｈに送出する構成とした場合には、中央監視装置Ｈから要求させるという余分な手間をかけることなく、繰り返し異常終了通知データを送出するついでに中央監視装置Ｈに送出できるので、有利である。
【０１２６】
また、３つ目に述べた構成とした場合には、繰り返して起こっている異常の具体的な内容を解析する際に役立つ情報を、その繰り返しの異常が終了するよりも前の時点で、中央監視装置Ｈの希望する時点でいつでも送出、提供することができるので、有利である。
【０１２７】
さらに、繰り返し異常開始通知データや繰り返し異常終了通知データの中央監視装置Ｈに対する送出とは全く無関係に、電話回線Ｐの不使用時に中央監視装置Ｈからの発呼動作により通じた電話回線Ｐを介して、中央監視装置Ｈからの要求があった際に、先に述べた、異常となった開始終了回数カウンタエリアのカウント値ＮＡ（ＮＢ，ＮＣ）のうち、現在から所定時間遡った時点までの最新の所定時間の間にカウントアップされたカウント値ＮＡ（ＮＢ，ＮＣ）を、その通じている電話回線Ｐを介して中央監視装置Ｈに送出する構成としてもよい。
【０１２８】
そして、このような構成とした場合には、異常の発生中や繰り返し異常の発生中であるか否かに関係なく、中央監視装置Ｈが状況を把握したい任意の時点で、その状況把握や今後の状況推測に役立つ情報を中央監視装置Ｈに提供することができるので、有利である。
【０１２９】
また、本実施形態では、ショーケースＳＣ１〜ＳＣｎ及び冷凍機Ｒ１〜Ｒｎという２つの監視対象の、温度、圧力、及び、接点という合計３つの監視項目の各々について、異常の開始及び終了の回数を個別に計数し、各監視項目の計数値が繰り返し開始判定数ＮＨを越えた際に、その監視項目について異常が繰り返して起こっていると判別し、中央監視装置Ｈに対する通知を行う構成とした。
【０１３０】
しかし、例えば、監視対象が冷凍機Ｒ１〜Ｒｎで共通する圧力及び接点の２つの監視項目については、異常の開始及び終了の回数を一緒に計数し、ショーケースＳＣ１〜ＳＣｎの異常や冷凍機Ｒ１〜Ｒｎの異常というように、監視対象別に繰り返し異常の開始及び終了の通知を行うように構成してもよく、設置先が同じ店舗Ｓ１〜ＳｎであるショーケースＳＣ１と冷凍機Ｒ１、ショーケースＳＣ２と冷凍機Ｒ２、・・・ショーケースＳＣｎと冷凍機Ｒｎについては、異常の開始及び終了の回数を各々一緒に計数し、店舗Ｓ１〜Ｓｎ別に繰り返し異常の開始及び終了の通知を行うように構成してもよい。
【０１３１】
但し、本実施形態のように、監視項目別に繰り返し異常の開始及び終了の通知を行うように構成すれば、繰り返して異常が起こっているのがどの監視項目であるかを特定できるので、この繰り返し異常に対する何らかの対策を施す際に、どのショーケースＳＣ１〜ＳＣｎ内部の温度、冷凍機Ｒ１〜Ｒｎのコンプレッサ圧力、及び、冷凍機Ｒ１〜Ｒｎのブレーカ接点のうち、どれに対策を施せばよいのかを容易に決定することができるので、有利である。
【０１３２】
同じく、上述したように、監視対象別に繰り返し異常の開始及び終了の通知を行うように構成すれば、店舗Ｓ１〜Ｓｎ別に繰り返し異常の開始及び終了の通知を行うように構成するのに比べて、繰り返して異常が起こっているのがどの監視対象であるかを特定し、この繰り返し異常に対する何らかの対策をどの監視対象に施せばよいのかを容易に決定することができるので、有利である。
【０１３３】
さらに、本実施形態では、繰り返して異常が起こっているか否かを判別したり、繰り返して異常が起こっている状態が終了したか否かを判別するのに、異常の開始及び終了の回数の計数値を用いる構成としたが、異常の開始回数だけの計数値、或は、異常の終了回数だけの計数値を用いて、上述の判別を行うように構成してもよい。
【０１３４】
さらには、前回の異常の終了から今回の異常の開始までのインターバル時間や、その最近複数回分の平均時間の長短によって、上述した、繰り返して異常が起こっているか否かの判別や、繰り返して異常が起こっている状態が終了したか否かの判別を行うように構成してもよい。
【０１３５】
【発明の効果】
以上説明したように請求項１に記載した本発明の遠隔監視システムの端末側異常通知方法によれば、管理センタの管理用ホストに電話回線を介して接続され、該管理センタから離れて配置された遠隔監視対象において発生する異常を検知し、該異常を前記電話回線により前記管理用ホストに通知するに当たり、前記異常の繰り返し時に、繰り返し異常の発生を前記管理用ホストに前記電話回線により通知し、前記繰り返し異常の発生の前記管理用ホストに対する通知後、該繰り返し異常が終了するまでの間、前記異常の前記管理用ホストに対する前記電話回線による通知を停止し、前記繰り返し異常の発生の前記管理用ホストに対する通知後、該繰り返し異常が終了した際に、前記繰り返し異常の終了を前記電話回線により前記管理用ホストに通知するようにした。
【０１３６】
また、請求項６に記載した本発明の遠隔監視システム用端末装置によれば、管理センタの管理用ホストに電話回線を介して接続され、該管理センタから離れて配置された遠隔監視対象において発生する異常を検知し、該異常を前記電話回線により前記管理用ホストに通知する遠隔監視システム用の端末装置において、前記遠隔監視対象における前記異常の繰り返しの発生、及び、該発生した繰り返し異常の終了を判別する繰り返し異常判別手段と、前記繰り返し異常が発生したと前記繰り返し異常判別手段が判別した際に、前記繰り返し異常を前記電話回線により前記管理用ホストに通知する繰り返し異常通知手段と、前記繰り返し異常通知手段による前記繰り返し異常の発生の前記管理用ホストに対する通知後、該管理用ホストに対する前記異常の通知を停止させる異常通知停止手段と、前記異常通知停止手段による前記異常の前記管理用ホストに対する通知の停止後、前記繰り返し異常が終了したと前記繰り返し異常判別手段が判別した際に、前記繰り返し異常の終了を前記電話回線により前記管理用ホストに通知する繰り返し異常終了通知手段と、前記繰り返し異常終了通知手段による前記繰り返し異常の終了の前記管理用ホストに対する通知後、前記異常通知停止手段による前記異常の前記管理用ホストに対する通知の停止を解除させる異常通知停止解除手段とを備える構成とした。
【０１３７】
このため、遠隔監視対象の異常が繰り返されると、通常ならばその都度管理センタの管理用ホストに電話回線を介して通知がなされるところであるが、その都度の通知は行われず、その代わりに、異常の繰り返しの始まりと終わりとに１度ずつ管理用ホストに電話回線を介して通知がなされる。
従って、異常の度に管理用ホストに通知するのに比べて異常の通知回数が減り、これにより、ランニングコストを抑えることができる。
【０１３８】
しかも、繰り返し異常の始まりを通知することにより、それ以後、繰り返し異常の終了が通知されるまでの間、繰り返し異常が継続していることを管理用ホストに認識させ続けることが可能となるので、異常の度に電話回線を介した通知をいちいち行わなくても、遠隔監視対象の異常が引き続き繰り返されていることを、時間的な遅れを抑制し迅速に管理用ホストに認識させることができる。
【０１３９】
さらに、請求項２に記載した本発明の遠隔監視システムの端末側異常通知方法によれば、前記遠隔監視対象における前記異常の回数を計数し、所定の時間幅の間における前記異常の回数の計数値を基に、前記繰り返し異常の発生及び終了を判別するようにした。
【０１４０】
また、請求項７に記載した本発明の遠隔監視システム用端末装置によれば、前記繰り返し異常判別手段が、前記遠隔監視対象における前記異常の発生回数を計数する異常発生回数計数手段と、現在から所定時間遡った時点までの最新の所定時間の間に前記異常発生回数計数手段が計数した最新の計数値を、所定の開始基準値と周期的に比較する開始比較手段と、前記最新の計数値を所定の終了基準値と周期的に比較する終了比較手段とを有しており、前記開始比較手段による比較結果を基に、前記最新の計数値が前記開始基準値を最初に上回った際に前記繰り返し異常が発生したと判別し、前記最新の計数値が前記終了基準値を最初に下回った際に前記繰り返し異常が終了したと判別する構成とした。
【０１４１】
このため、例えば、遠隔監視対象の繰り返し異常の発生の通知を受けた管理用ホストの要求に応えて、異常の回数の計数値を管理用ホストに提供する等、繰り返し異常の発生及び終了の判別材料となる異常の回数の計数値を、繰り返し異常の具体的な内容を解析するための情報として管理用ホストに認識させることができる。
【０１４２】
さらに、請求項３に記載した本発明の遠隔監視システムの端末側異常通知方法によれば、前記繰り返し異常の終了の前記管理用ホストに対する通知時に、該終了した前記繰り返し異常の発生から終了までの間における前記異常の回数の計数値を、前記管理用ホストに対して合わせて通知するようにした。
【０１４３】
また、請求項８に記載した本発明の遠隔監視システム用端末装置によれば、前記繰り返し異常終了通知手段が、前記繰り返し異常が終了したと前記繰り返し異常判別手段が判別した際に、前記繰り返し異常が発生したと前記繰り返し異常判別手段が判別した時点から前記異常発生回数計数手段が計数した前記計数値を、前記繰り返し異常の終了と共に前記管理用ホストに通知する構成とした。
【０１４４】
このため、繰り返し異常の具体的な内容を解析するための情報を、それ以後に内容が変動することのない繰り返し異常の終了時点に、最終の情報として、管理用ホストに要求させるという余分な手間をかけることなく、繰り返し異常の終了を通知するついでに管理用ホストに通知することができる。
【０１４５】
さらに、請求項４に記載した本発明の遠隔監視システムの端末側異常通知方法によれば、前記管理センタから離れた同一箇所の複数の前記遠隔監視対象別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視対象別に各々行うようにした。
【０１４６】
また、請求項９に記載した本発明の遠隔監視システム用端末装置によれば、前記遠隔監視対象が前記管理センタから離れた同一箇所に複数配置されており、前記繰り返し異常判別手段による前記繰り返し異常の発生及び終了の判別、前記繰り返し異常通知手段による前記繰り返し異常の前記管理用ホストへの通知、前記異常通知停止手段による前記異常の前記管理用ホストに対する通知の停止、前記繰り返し異常終了通知手段による前記繰り返し異常の終了の前記管理用ホストに対する通知、並びに、前記異常通知停止解除手段による前記異常の前記管理用ホストに対する通知の停止の解除が、前記各遠隔監視対象別に各々行われる構成とした。
【０１４７】
このため、繰り返し異常の発生と終了との通知が複数の遠隔監視対象の各々について個別に行われるので、どの遠隔監視対象が繰り返し異常を起こしているのかを管理用ホスト側で特定させることができ、従って、この繰り返し異常に対する何らかの対策を施す際に、どの遠隔監視対象にその対策を施せばよいのかを容易に決定することができる。
【０１４８】
さらに、請求項５に記載した本発明の遠隔監視システムの端末側異常通知方法によれば、前記遠隔監視対象の複数の遠隔監視項目別に前記異常を検知し、前記繰り返し異常の発生の前記管理用ホストに対する通知、前記異常の前記管理用ホストに対する通知の停止、及び、前記繰り返し異常の終了の前記管理用ホストに対する通知を、前記各遠隔監視項目別に各々行うようにした。
【０１４９】
また、請求項１０に記載した本発明の遠隔監視システム用端末装置によれば、前記遠隔監視対象が複数の遠隔監視項目を有しており、前記繰り返し異常判別手段による前記繰り返し異常の発生及び終了の判別、前記繰り返し異常通知手段による前記繰り返し異常の前記管理用ホストへの通知、前記異常通知停止手段による前記異常の前記管理用ホストに対する通知の停止、前記繰り返し異常終了通知手段による前記繰り返し異常の終了の前記管理用ホストに対する通知、並びに、前記異常通知停止解除手段による前記異常の前記管理用ホストに対する通知の停止の解除が、前記各遠隔監視項目別に各々行われる構成とした。
【０１５０】
このため、繰り返し異常の発生と終了とが、遠隔監視対象の複数の遠隔監視項目の各々について個別に行われるので、同じ遠隔監視対象であってもどの遠隔監視項目が繰り返し異常を起こしているのかを管理用ホスト側で特定させることが可能となり、従って、この繰り返し異常に対する何らかの対策を施す際に、遠隔監視対象のうちのどの遠隔監視項目にその対策を施せばよいのかを容易に決定することができる。
【図面の簡単な説明】
【図１】本発明による遠隔監視システム用端末装置の基本構成図である。
【図２】本発明の一実施形態に係る端末装置を含む遠隔監視システムの概略構成を示すブロック図である。
【図３】図２に示す店舗の端末装置の電気的な概略構成を示すブロック図である。
【図４】図３の端末装置のＲＡＭのメモリエリアマップである。
【図５】図３の端末装置のＲＯＭに格納されたプログラムに従いＣＰＵが行う処理を示すメインルーチンのフローチャートである。
【図６】図５の温度監視処理を示すサブルーチンのフローチャートである。
【図７】図５の温度監視処理を示すサブルーチンのフローチャートである。
【図８】図５の圧力監視処理を示すサブルーチンのフローチャートである。
【図９】図５の圧力監視処理を示すサブルーチンのフローチャートである。
【図１０】図５の接点監視処理を示すサブルーチンのフローチャートである。
【図１１】図５の接点監視処理を示すサブルーチンのフローチャートである。
【図１２】図５の通知処理を示すサブルーチンのフローチャートである。
【図１３】図５の通知処理を示すサブルーチンのフローチャートである。
【図１４】（ａ）乃至（ｃ）は図２のショーケース内の温度、冷凍機のコンプレッサ圧力、及び、冷凍機のブレーカ接点のうちのどれか１つについての異常の開始、終了と、電話回線の使用、不使用、並びに、開始終了回数カウンタエリアのカウント値の増加の相互関係を示すタイムチャートである。
【図１５】（ａ）乃至（ｃ）は図２のショーケース内の温度、冷凍機のコンプレッサ圧力、及び、冷凍機のブレーカ接点のうちのどれか１つについての異常の開始、終了と、電話回線の使用、不使用、並びに、開始終了回数カウンタエリアのカウント値の増加の相互関係を示すタイムチャートである。
【図１６】（ａ）乃至（ｃ）は図２のショーケース内の温度、冷凍機のコンプレッサ圧力、及び、冷凍機のブレーカ接点のうちのどれか１つについての異常の開始、終了と、電話回線の使用、不使用、並びに、開始終了回数カウンタエリアのカウント値の増加の相互関係を示すタイムチャートである。
【符号の説明】
１０  マイクロコンピュータ
１０ａ  ＣＰＵ
１０ｂ  ＲＡＭ
１０ｃ  ＲＯＭ
１０Ａ  繰り返し異常判別手段
１０Ｂ  繰り返し異常通知手段
１０Ｃ  異常通知停止手段
１０Ｄ  繰り返し異常終了通知手段
１０Ｅ  異常通知停止解除手段
１０Ｆ  異常発生回数計数手段
１０Ｇ  開始比較手段
１０Ｈ  終了比較手段
Ｃ  管理センタ
Ｈ  管理用ホスト
Ｔ  遠隔監視対象
Ｐ  電話回線
【図１】
0003634544.tif 000002
【図２】
0003634544.tif 000003
【図３】
0003634544.tif 000004
【図４】
0003634544.tif 000005
【図５】
0003634544.tif 000006
【図６】
0003634544.tif 000007
【図７】
0003634544.tif 000008
【図８】
0003634544.tif 000009
【図９】
0003634544.tif 000010
【図１０】
0003634544.tif 000011
【図１１】
0003634544.tif 000012
【図１２】
0003634544.tif 000013
【図１３】
0003634544.tif 000014
【図１４】
0003634544.tif 000015
【図１５】
0003634544.tif 000016
【図１６】
0003634544.tif 000017